(57)【要約】      （修正有）【課題】構造の簡単化及び設置スペースの節減を図りつつ、油回転真空ポンプにおける油への水やごみ等の不純物の混入に起因する不具合の発生を抑制し長寿命化を図る。【解決手段】吸気ポート１ａ及び排気ポート１ｂに連通するポンプ室５、このポンプ室５内に設けられ該ポンプ室５内を公転する公転子６、並びに前記公転子６と連動し前記ポンプ室５内を前記吸気ポート１ａに連通し容積が増大する膨張領域５ａ及び前記排気ポート１ｂに連通し容積が縮小する圧縮領域５ｂに区画する仕切り手段たる摺動部７を有する真空ポンプ本体１と、この真空ポンプ本体１のポンプ室５内に供給する油を貯留するタンク２とを具備する油回転真空ポンプにおいて、前記タンク２を前記ポンプ室５の膨張領域５ａに連通させるための連通路３と、この連通路３中に設けられ油中に混入した水等の不純物を除去するためのフィルタ４とをさらに具備させる。【選択図】図１
2010133310.tif 000002
【特許請求の範囲】
【請求項１】
吸気ポート及び排気ポートに連通するポンプ室、このポンプ室内に設けられ該ポンプ室内を公転ないし回転する公転子又はロータ、並びに前記公転子又はロータと連動し前記ポンプ室内を前記吸気ポートに連通し容積が増大する膨張領域及び前記排気ポートに連通し容積が縮小する圧縮領域に少なくとも区画する仕切り手段を有する真空ポンプ本体と、この真空ポンプ本体のポンプ室内に供給する油を貯留するタンクと、前記タンクを前記真空ポンプ本体のポンプ室の膨張領域に連通させるための連通路と、この連通路中に設けられ油中に混入した不純物を除去するためのフィルタとを具備することを特徴とする油回転真空ポンプ。
【発明の詳細な説明】
【技術分野】
【０００１】
本発明は、主に産業用機械等に用いられる油回転真空ポンプに関する。
【背景技術】
【０００２】
従来、主に産業用機械等に用いられる真空ポンプとして、吸気ポート及び排気ポートに連通するポンプ室、このポンプ室内に設けられ該ポンプ室内を公転ないし回転する公転子又はロータ、並びに前記公転子又はロータと連動し前記ポンプ室内を前記吸気ポートに連通し容積が増大する膨張領域及び前記排気ポートに連通し容積が縮小する圧縮領域に少なくとも区画する仕切り手段を有する真空ポンプ本体と、この真空ポンプ本体のポンプ室内に供給する油を貯留するタンクとを具備し、タンクとポンプ室との間で油を循環させる構成の油回転真空ポンプが知られている。このような油回転真空ポンプにおいて、吸気ポートから導入される気体中に水やごみ等の不純物が混入していると、この不純物がタンクとポンプ室との間で循環する油に混入し、このような油回転真空ポンプの劣化に繋がる不具合が発生する。従来、このような不具合の発生を抑制すべく、油圧ポンプ及びフィルタを内蔵する分離器をタンクに接続する態様が考えられている。この態様の油回転真空ポンプは、真空ポンプ本体と同時に油圧ポンプを作動させることによりタンク内の油をフィルタに導き、フィルタにより水等の不純物を除去した油をタンク内に戻す構成を有する（例えば、特許文献１を参照）。
【特許文献１】特開２００２−７０７７５号公報
【発明の開示】
【発明が解決しようとする課題】
【０００３】
しかして、このような分離器をタンクに接続する態様を採用した場合、分離器を設置するためのスペースを別途必要とし、さらに、構成部品の数が多くなるという新たな不具合が発生する。加えて、前記分離器中の油圧ポンプを作動させるには電力が必要であるので、この油圧ポンプに電力を供給するための電源を設ける必要があるという不具合も存在する。
【０００４】
本発明はこのような課題を解決することを目的とする。
【課題を解決するための手段】
【０００５】
すなわち、以上のような課題を解決すべく、本発明に係る油回転真空ポンプは、吸気ポート及び排気ポートに連通するポンプ室、このポンプ室内に設けられ該ポンプ室内を公転ないし回転する公転子又はロータ、並びに前記公転子又はロータと連動し前記ポンプ室内を前記吸気ポートに連通し容積が増大する膨張領域及び前記排気ポートに連通し容積が縮小する圧縮領域に少なくとも区画する仕切り手段を有する真空ポンプ本体と、この真空ポンプ本体のポンプ室内に供給する油を貯留するタンクと、前記タンクを前記真空ポンプ本体のポンプ室の膨張領域に連通させるための連通路と、この連通路中に設けられ油中に混入した不純物を除去するためのフィルタとを具備することを特徴とする。
【０００６】
このようなものであれば、真空ポンプ本体の運転中は、ポンプ室の膨張領域内はほぼ真空であるため、タンク内の油が大気圧とポンプ室の膨張領域内の圧力との圧力差により前記連通路に導入され、この連通路に導入された油は該連通路中に設けたよりフィルタを通過し、油がこのフィルタを通過する際に油に混入した水等の不純物が除去され、不純物が除去された後の油がポンプ室内に供給される。すなわち、フィルタに油を導くための特別な機構、及びこのような機構を作動させるための電源を設けることなく、大気圧とポンプ室内の圧力との圧力差のみを用いてフィルタに油を導き不純物を除去できる。
【発明の効果】
【０００７】
本発明に係る真空ポンプの構成によれば、ポンプ室の膨張領域内はほぼ真空であることに着目し、大気圧とポンプ室の膨張領域内の圧力との圧力差のみを用いて連通路中にタンク内の油を吸引し、連通路中に設けたフィルタにより油に混入した水等の不純物を除去できる。従って、特許文献１記載の分離器を設ける構成と比較して、油圧ポンプ及び該油圧ポンプのための電源が不要であることによる設置スペースの縮減、及び構成部品の数を減少させることによる構造の簡単化を図りつつ、吸気ポートから導入した気体に混入した水等の不純物をフィルタにより除去することで、このような油回転真空ポンプの長寿命化を実現することができる。
【発明を実施するための最良の形態】
【０００８】
以下、本発明の一実施形態について述べる。
【０００９】
本実施形態に係る真空ポンプは、図１に概略を示すように、吸気ポート１ａ及び排気ポート１ｂに連通するポンプ室５、このポンプ室５内に設けられ該ポンプ室５内を公転する公転子６、並びに前記公転子６と連動し前記ポンプ室５内を前記吸気ポート１ａに連通し容積が増大する膨張領域５ａ及び前記排気ポート１ｂに連通し容積が縮小する圧縮領域５ｂに区画する仕切り手段たる摺動部７を有する真空ポンプ本体１と、前記真空ポンプ本体１の吸気ポート１ａに接続してなるとともに前記真空ポンプ本体１内部に供給する油を内部に貯留するタンク２と、前記タンク２を前記真空ポンプ本体１のポンプ室５の膨張領域５ａに連通させるための連通路３と、この連通路３中に設けられ油中に混入した水等の不純物を除去するためのフィルタ４とを具備する油回転真空ポンプである。
【００１０】
真空ポンプ本体１は、キニー型油回転真空ポンプの真空ポンプ本体として周知のものとほぼ同様の構成を有する。すなわち、内部にポンプ室５を形成してなるとともにこのポンプ室５に連通する吸気ポート１ａ及び排気ポート１ｂを有するケーシング８と、前記ポンプ室５に内接し該ポンプ室５内を公転可能である円筒状の前記公転子６、及び前記公転子６から一体に延伸して設けてなるとともに吸気ポート１ａとポンプ室５とを連通させる吸気管７ａを内部に備える前記摺動部７からなる揺動ピストン９とを具備する。より具体的には、前記公転子６は、図示しないモータに接続された回転支軸１０を中心としてポンプ室５内を公転する。この公転子６と前記回転支軸１０との間には図示しない偏心筒を配していて、前記モータの回転力が前記回転支軸１０及び前記偏心筒を介して公転子６に伝達されることにより、公転子６が公転する。その際、前記摺動部７は、首振り運動をしつつポンプ室５に対して突没する。また、この摺動部７は、摺動ガイド１１によって移動方向を規制されている。さらに、前記揺動ピストン９及び前記ケーシング８の内壁８ａにより、前記ポンプ室５は、吸気ポート１ａに連通し時間経過につれ容積が増大する前記膨張領域５ａと、排気ポート１ｂに連通し時間経過につれ容積が縮小する前記圧縮領域５ｂとに仕切られる。そして、前記公転子６の公転に伴い、膨張領域５ａの容積が増大して負圧が発生することに伴い吸気ポート１ａから気体を膨張領域５ａに導き、公転子６の公転に伴い摺動部７の全域がポンプ室５外に移動した時点で膨張領域５ａと吸気ポート１ａとの間を遮断し、公転子６がさらに公転することにより先に気体が導かれた側の領域を圧縮領域５ｂとし、圧縮領域５ｂ側の気体を排気ポート１ｂから前記タンク２に排出するようにしている。なお、前記排気ポート１ｂには、図示しない逆止弁を設けていて、前記タンク２側からポンプ室５内への気体の逆流を防ぐようにしている。
【００１１】
前記タンク２も、油回転真空ポンプのタンク２として周知のものとほぼ同様の構成を有する。すなわち、このタンク２は、前記真空ポンプ本体１のポンプ室５に接続してなる給油口１２を有するとともに、前記真空ポンプ本体１の排気ポート１ｂに接続してなるとともに中間排気口１３ａを有する中間排気管１３を内部に接続し、排気ポート１ｂから排出された油を含む気体を前記中間排気口１３ａからこのタンク２内に一旦排出するようにしている。ここで、排気ポート１ｂから排出された気体に含まれる油は、このタンク２内に貯留されるようにしている。そして、このタンク２は、最終排気口１４ａを有する最終排気管１４を介して外部に連通していて、前記排気ポート１ｂから排出された気体は、油を除去した後、最終的に前記最終排気口１４ａから排出するようにしている。
【００１２】
しかして本実施形態では、前記連通路３の上流側をタンク２の給油口１２に接続しているとともに、下流側を前記真空ポンプ本体１のポンプ室５の膨張領域５ａ、具体的には、例えば前記排気ポート１ｂと摺動部７を挟んで反対側の所定箇所に接続している。また、上述したように、この連通路３中にフィルタ４を設けている。
【００１３】
より具体的には、前記連通路３のフィルタ４より上流側には、フィルタ４の交換時等に閉止状態としフィルタ４とタンク２との間を遮断するための第１の手動バルブ１５、及び油中に混入している大型の不純物を除去するための大型不純物除去フィルタ１６を設けている。一方、前記連通路３のフィルタ４より下流側には、フィルタ４の交換時等に閉止状態としフィルタ４とポンプ室５との間を遮断するための第２の手動バルブ１７、及び真空ポンプ本体１の運転が行われていない場合に閉止状態となる電動バルブ１８を設けている。ここで、第１及び第２の手動バルブ１５、１７は、タンク２からポンプ室５内に導入される油の流量を調節するための調整バルブとしても機能する。
【００１４】
また、前記フィルタ４は、水等の不純物を捕集可能なフィルタ要素４ａと、このフィルタ要素４ａを内部に収納してなるケーシング４ｂを有するとともに、前記ケーシング４ｂに、油を内部に導入するための導入口４ｃ及びフィルタ要素４ａにより不純物を除去した後の油を排出するための排出口４ｄを設けてなる。また、このフィルタ４には、前記フィルタ要素４ａにより捕集された水を排出するための排水口４ｅを下端部に設けている。この排水口４ｅには排水バルブ４ｆ１を中途に有する排水路４ｆを接続している。さらに、このフィルタ４には、油中に混入した気体を排出するための排気口４ｇを上端部に設けている。この排気口には排気バルブ４ｈ１を中途に有する排気路４ｈを接続している。
【００１５】
そして、真空ポンプ本体１の運転が行われている状態では、ポンプ室５の膨張領域５ａに負圧が発生し、この膨張領域５ａ内がほぼ真空状態となるので、大気圧下にあるタンク２室との間に圧力差が発生し、タンク２内の油が給油口１２から連通路３を介してポンプ室５内に吸引される。連通路３内に導入された油は、ポンプ室５に達する前に前記フィルタ４を通過し、このフィルタ４を通過する際に水等の不純物が除去される。すなわち、前記連通路３及び前記フィルタ４はタンク２内からポンプ室５内に油を供給するための油供給機構を形成している。
【００１６】
以上に述べたように、本実施形態に係る油回転真空ポンプの構成によれば、真空ポンプ本体１の運転中は、ポンプ室５の膨張領域５ａ内に負圧が発生してほぼ真空となるため、大気圧下にあるタンク２内の油が大気圧とポンプ室５の膨張領域５ａ内の圧力との圧力差により前記連通路３に導入され、この連通路３に導入された油は該連通路３中に設けたよりフィルタ４を通過し、油がこのフィルタ４を通過する際に油に混入した水等の不純物が除去され、不純物が除去された後の油がポンプ室５内に供給される。すなわち、フィルタ４に油を導くための特別な機構を設けることなく、大気圧とポンプ室５内の圧力との圧力差のみを利用し、連通路３を介してフィルタ４に油を導き不純物を除去できる。従って、特許文献１記載の分離器を設ける構成と比較して、油を循環させてフィルタ４に油を導くための油圧ポンプ、及びこのような油圧ポンプのための電源が不要であることによる設置スペースの縮減、及び構成部品の数を減少させることによる構造の簡単化を図りつつ、吸気ポート１ａから導入した気体に混入した不純物をフィルタ４により除去することで、このような油回転真空ポンプの長寿命化を低コストで実現することができる。
【００１７】
なお、本発明は以上に述べた実施形態に限られない。
【００１８】
例えば、上述した実施形態ではキニー型の油回転真空ポンプについて説明したが、ゲーデ型の油回転真空ポンプや、センコ型の油回転真空ポンプに本発明を適用してももちろんよい。
【００１９】
また、上述した実施形態における第１及び第２の手動バルブに替えて、外部から開度を調整可能にすべく開度変更機構に接続した電磁バルブ等を採用してもよい。
【００２０】
その他、本発明の趣旨を損ねない範囲で種々に変更してよい。
【図面の簡単な説明】
【００２１】
【図１】本発明の一実施形態に係る油回転真空ポンプを模式的に示す図。
【符号の説明】
【００２２】
１…真空ポンプ本体
１ａ…吸気ポート
１ｂ…排気ポート
２…タンク
３…連通路
４…フィルタ
５…ポンプ室
５ａ…膨張領域
５ｂ…圧縮領域
６…ロータ
７…摺動部（仕切り手段）
【図１】
2010133310.tif 000003